(57)【要約】【課題】本考案は夜間にペットを散歩させるときのリードに発光体を内蔵し、散歩中に危険回避のため自分の存在を相手に知らせるために発光する。【解決手段】弾性で板状の集光樹脂５に光源シート２を展着して一体化したものをリード本体１に縫着し、光源シート２のフレキシブルリード線３に接続して引き出された、電線１０をスイッチ７に接続しスイッチ７で発光を制御するものである。【選択図】図１
0003118330.tif 000002
【実用新案登録請求の範囲】
【請求項１】
発光リード本体は、少なくとも横幅を持つベルトから成り、このベルトは折り曲げて二重構造とし両端に接続環を設ける、この接続環と接続環の間の胴部の二重部分に、発光ダイオードを内蔵した光源シートを展着して一体化された弾性で板状の集光樹脂を挿入し両側から挟み三層構造と成して縫着成形して成る発光リードの構造。
【請求項２】
弾性で板状の集光樹脂の中心部の長手方向に等間隔で集光穴を穿設し、等間隔に配置された発光ダイオードを内蔵した光源シートを展着する、このとき発光ダイオードの発光部位を集光樹脂の集光穴に吊設状態で収蔵できるようにして成る請求項１に記載の発光リードの集光樹脂の構造。
【請求項３】
フレキシブルリード線に発光ダイオードを等間隔に配置して接続し、防水性と絶縁性に優れた樹脂製シートで挟着密閉して成る請求項２に記載の発光ダイオードを内蔵した光源シートの構造。
【考案の詳細な説明】
【技術分野】
【０００１】  本考案は、絶縁性と防水性に優れたシートで厳重に保護された、発光ダイオードの光源シートを弾性で板状の集光樹脂に展着し一体化したものを、強靱な布製ベルト又は革ベルトで挟み縫着したペット用の発光リードに関するものである。
【背景技術】
【０００２】  夜間にペットを散歩させるとき、危険回避のため自分の存在を相手に知らせるために様々な方法が採られていた、例えば反射テープを首輪やリードに取り付けたり、チュウブに発光ダイオードを内蔵して点滅させたりしていた。
【考案の開示】
【考案が解決しようとする課題】
【０００３】  しかしながらこのような従来の方法では、反射テープにあっては表面の汚れは致命的であり、発光ダイオードをチュウブに内蔵してもチュウブの表面に傷が付けば輝度が落ち、光が遠くまで届かないので遠方の相手の注意を喚起することができない。本考案ではリードの一定の長さ分、例えば１メートルくらいの部分に、傷が付けば傷が付くほど光を発散する性質を持った、弾性で板状の集光樹脂（以後集光樹脂と称する）に発光ダイオードを内蔵した光源シート（以後光源シートと称する）を展着し、これを布製ベルト又は革ベルトで挟着し扁平で三層構造のベルト状のリードを提供することで、前述の欠点を解決しようとするものである。
【課題を解決するための手段】
【０００４】  本考案のペット用の発光リードは少なくとも横幅を持つ扁平で強靱な布製ベルト又は革ベルトで、光源シートを展着し一体化した集光樹脂を両側から挟み縫着する。このとき集光樹脂は切断面が両側面に露出しており、この両切断面からのみ発光ダイオードを光源とする光が発散される。即ち等間隔に配置された発光ダイオードが発光する光は点ではなく、集光樹脂体の中で面的に拡散し両側面から一筋の光の線として発光するので、遠方の相手の注意を喚起することができる。しかも集光樹脂は切断面から光を集めて切断面から光を発散するため、露出面に傷が付いても発光にはなんら影響されないので、リードそのものに重大な損傷が起きない限り機能が低下することのない発光リードを提供したことで、この問題点を解決した。
【考案の効果】
【０００５】  以上にように、本考案のペット用の発光リードは、強靱な布製ベルト又は革ベルトによって厳重に保護された発光ダイオードから発する光を集光樹脂で制御して、外部に向けて一筋の光の線として発光するので日没後のペットの散歩中に自己の存在を相手に知らせて注意を喚起させることができる。
【考案を実施するための最良の形態】
【０００６】  発光リード本体の両端に接続環を設け、一方をペットの首輪に繋ぎ他方を通常のリードに接続して自分が持ちペットの行動をコントロールする。発光リード本体の両端部の接続環よりやや中央よりの胴部には、本考案の光源である光源シートを展着した集光樹脂を挟んで縫着する。光源シートの一端には、フレキシブルリード線に接続された電線を引き出し、電池を内蔵したスイッチに接続しスイッチボタンでオンオフの切り替えをする。
【実施例】
【０００７】  添付図面に従って実施例を説明する。１は厚手で強靱な布製ベルト又は革ベルト等の素材にて形成された発光リードの本体である、２はフレキシブルリード線３とこれに接続された発光ダイオード４を漏電と衝撃から保護するために絶縁性と防水性に優れたシートで挟着してシーリングされた光源シートである、３は屈伸に強いフイルム状のフレキシブルリード線である、４はフレキシブルリード線３に接続された本考案の光源である発光ダイオードである、５は弾性で板状の集光樹脂である、６は本考案の光源である発光ダイオードを収蔵する集光穴である、７は電池を収納し電流を制御するスイッチである、８はペットとリードを繋ぐ接続環である、９はベルトの継ぎ目である、１０はフレキシブルリード線から電源スイッチまでをつなぐための電線である。【０００８】  図１は、本考案の発光リードの斜視図である、胴部側面に露出している集光樹脂５から本考案の目的である光を発光する。図２は、図１の胴部の一部を切欠し本考案の構成部品とその構造を開示した断面図である。図３は、光源シートの側面図である。図４は、集光樹脂に集光穴を等間隔に配置した斜視図である。【０００９】  以下請求項ごとに実施の態様を説明する。【００１０】  請求項１記載の考案は、夜間の散歩中に後続者や対向者に自己の存在を認識させ注意を喚起するための手段として、少ない電力で高輝度の発光体を内蔵したペット用の発光リードを提供しようとするもので、その構成は強靱な布製のベルト又は革製のベルトを折り曲げ二重構造とし、両端に接続環８を形成し両端よりやや中央よりの胴部は空洞とする。この空洞部に光源シート２を展着した集光樹脂５を挿入し三層構造にして縫着したものである。【００１１】  請求項２記載の考案は、発光手段を形成する集光樹脂５に直接光源を埋め込み光の散逸を最小限に留めるための構成で、集光樹脂５は柔軟性のある薄い板状の透明な樹脂から成る素材で、光ファイバーのように切断面から光を取り入れ切断面から光を発散する性質を持っているので、この性質を活かして集光樹脂５の中心部の長手方向に等間隔で集光穴６を穿設し、この集光穴６に発光ダイオードを埋め込んで発光させようとするものである。しかし発光ダイオードは微弱な電流にも敏感に感応するため、日常生活の中で様々な悪条件をクリアするためには厳重な保護が求められるのである。そこで図２と図３に示すように、これを後述の光源シート２として集光樹脂５に展着する。このとき発光ダイオード４は集光穴６内に吊設された状態で収蔵され、集光穴６の中で点灯するので光は他え散逸することなく、集光穴６の壁面から吸収されて集光樹脂５内だけで平面的に拡散するため、シャープに切断された両側面から発光するときは、点として光ったものが視覚的には線として認識されるのである。【００１２】  請求項３記載の考案は、前記の目的を達成するためになされたもので、図２と図３に示すようにフレキシブルリード線３Ａ３Ｂに発光ダイオード４を集光樹脂５の集光穴６の間隔に合わせて等間隔に接続配置し、絶縁性と防水性に優れた樹脂製シートで挟着リングシーして一枚のユニットして形成したものである。これを光源シート２として集光樹脂５の集光穴６に発光ダイオード４が吊設される状態で展着するのである。
【図面の簡単な説明】
【００１３】
【図１】本考案の発光リードの実施例を示す斜視図である。
【図２】本考案の発光リードの一部を切欠した断面図である。
【図３】本考案の光源シートの側面図である。
【図４】本考案の集光樹脂の斜視図である。
【符号の説明】
【００１４】    １  本体
２  光源シート
３  フレキシブルリード線
４  発光ダイオード
５  集光樹脂
６  集光穴
７  スイッチ
８  接続環
９  継ぎ目
１０  電線
【図１】
0003118330.tif 000003
【図２】
0003118330.tif 000004
【図３】
0003118330.tif 000005
【図４】
0003118330.tif 000006